【手続補正書】
【提出日】平成17年9月5日(2005.9.5)
【手続補正１】
【補正対象書類名】特許請求の範囲
【補正対象項目名】全文
【補正方法】変更
【補正の内容】
【特許請求の範囲】
【請求項１】
第三者またはユーザによりアクセスされる電話番号及び/又はＩＤ番号を有し、ＧＰＳ信号を受信して時間情報を得る手段と、所定の画像情報を取り込み可能な、ＣＰＵに接続された画像情報メモリと、前記時間情報と画像情報を無線回線を通して送受信する手段とを含むパーソナルハンデイ端末と、
前記無線回線を介して前記情報を送受信する手段と前記情報を第1の一般回線を通して送受信する手段とを有する移動用通信局と、
前記情報を前記第１の一般回線を通して送受信し、第２の一般回線及び／又はインターネットを介して送受信する手段を有するホストサーバと、
第２の一般回線及び／又はインターネットを介して前記ホストサーバに接続されて前記パーソナルハンデイ端末のユーザの画像を監視するパーソナルコンピュータとから構成されることを特徴とする画像探索システム。
【請求項２】
第三者またはユーザによりアクセスされる電話番号及び/又はＩＤ番号を有し、ＧＰＳ信号を受信して時間とともに位置情報を蓄積する手段と、所定の画像情報を取り込み可能な、ＣＰＵに接続された画像情報メモリと、前記時間とともに蓄積された位置情報と画像情報を無線回線を通して送受信する手段とを含むパーソナルハンデイ端末と、
前記無線回線を介して前記情報を送受信する手段と前記情報を第1の一般回線を通して送受信する手段とを有する移動用通信局と、
前記情報を前記第１の一般回線を通して送受信し、第２の一般回線及び／又はインターネットを介して送受信する手段を有するホストサーバと、
第２の一般回線及び／又はインターネットを介して前記ホストサーバに接続されて前記パーソナルハンデイ端末のユーザの画像を監視するパーソナルコンピュータとから構成されることを特徴とする画像探索システム
【手続補正２】
【補正対象書類名】明細書
【補正対象項目名】全文
【補正方法】変更
【補正の内容】
【発明の詳細な説明】
【発明の名称】画像検索システム
【技術分野】
【０００１】
本発明はＧＰＳ信号により得られた時間情報を有する端末を用いた画像検索システムに関し、特に、ＧＰＳ信号により得られた時間情報および位置情報を有する端末からサーバ（ホストコンピュータ）を介して前記情報を他の画像情報と共に第三者に送信することのできる画像検索システムに関する。
【背景技術】
【０００２】
ＧＰＳの利用による位置情報を用いた装置通して、カーナビゲータが知られている。即ち、複数の衛星からの電波を用いて自動車に搭載されたナビゲータにより当該自動車の位置を検出し、運転者は前記ナビゲータに設けられた地図にしたがって目的地に向かって走行させている。
【特許文献１】特開平８−５３９４号
【０００３】
しかしながら、前記ナビゲータにおいては、ＧＰＳの利用によって前記位置情報を常時検出しているものの、前記地図上で自分の行先を自分で認識することであって、前記位置情報、前記自動車の走行状態、前記目的地等の各種データを第三者に送信する機能を有していない。
【０００４】
また、無線回線、有線回線及び交換機を用いた携帯電話システムも実用化されている。このような携帯電話システムにおいて話中の当事者は自己の位置を互いに確認することができるものの、前記携帯電話システムは第三者が前記当事者の位置を確認する機能を有していない。
【発明の開示】
【発明が解決しようとする課題】
【０００５】
それ故、本発明の目的は、ＧＰＳ信号により得られた時間情報を有する端末機から前記時間情報とともに画像情報を第三者に送信することのできる新規な画像検索システムを提供することにある。
【０００６】
本発明の他の目的は、ＧＰＳ信号により得られた時間および位置情報を有する端末機からサーバ（ホストコンピュータ）を介して前記時間および位置情報とともに画像情報を第三者に送信することのできる画像検索システムを提供することにある。
【課題を解決するための手段】
【０００７】
上記目的を達成するため、第１の発明は、第三者またはユーザによりアクセスされる電話番号及び/又はＩＤ番号を有し、ＧＰＳ信号を受信して時間情報を得る手段と、所定の画像情報を取り込み可能な、ＣＰＵに接続された画像情報メモリと、前記時間情報と画像情報を無線回線を通して送受信する手段とを含むパーソナルハンデイ端末と、
前記無線回線を介して前記情報を送受信する手段と前記情報を第1の一般回線を通して送受信する手段とを有する移動用通信局と、
前記情報を前記第１の一般回線を通して送受信し、第２の一般回線及び／又はインターネットを介して送受信する手段を有するホストサーバと、
第２の一般回線及び／又はインターネットを介して前記ホストサーバに接続されて前記パーソナルハンデイ端末のユーザの画像を監視するパーソナルコンピュータとから構成されることを特徴とする画像探索システムにある。
【０００８】
また、上記目的を達成するため、第２の発明は、第三者またはユーザによりアクセスされる電話番号及び/又はＩＤ番号を有し、ＧＰＳ信号を受信して時間とともに位置情報を蓄積する手段と、所定の画像情報を取り込み可能な、ＣＰＵに接続された画像情報メモリと、前記時間とともに蓄積された位置情報と画像情報を無線回線を通して送受信する手段とを含むパーソナルハンデイ端末と、
前記無線回線を介して前記情報を送受信する手段と前記情報を第1の一般回線を通して送受信する手段とを有する移動用通信局と、
前記情報を前記第１の一般回線を通して送受信し、第２の一般回線及び／又はインターネットを介して送受信する手段を有するホストサーバと、
第２の一般回線及び／又はインターネットを介して前記ホストサーバに接続されて前記パーソナルハンデイ端末のユーザの画像を監視するパーソナルコンピュータとから構成されることを特徴とする画像探索システムにある
【０００９】
本発明においては、上記パーソナルハンデイ端末は外部装置から供給される画像データを取り込む手段を持ち、さらに、画像データを取り込む手段はビデオ装置及び／又はデジタルカメラのデータを取り込む。
【００１０】
また、上記パーソナルハンデイ端末がＣＰＵに接続された少なくとも一つ以上のメモリと時間監視用のリアルタイムクロックで構成されるのが好ましい。
【００１１】
具体的には、送受信した位置情報に応じて地図を作成する道路地図データベースを有する前記ホストサーバと、ＣＰＵに接続された外部からの画像データを格納する画像メモリと、ＧＰＳ信号受信用ＩＣからデータを格納する位置検索メモリと、システムで使用されるシステムメモリとを有する前記パーソナルハンデイ端末と、で構成され携帯端末機を所持する人の時間経過位置と備え、走行距離および現在位置を確認することができるのが好ましい。
【発明の効果】
【００１２】
本発明によれば、前記電話番号及び／又はＩＤ番号によりアクセスされる前記パーソナルハンデイ端末機は前記ＧＰＳ信号により常時受信される時間および位置情報を記憶すると共に、当該情報を画像情報とともに送信する機能を有しているので、前記パーソナルハンデイ端末機をサーバと共に従来の有線及び無線回線並びにインターネットと組合わせることにより、画像検索システムを、盗難防止システム、高齢者探知システム等に適用することができる。
【発明を実施するための最良の形態】
【００１３】
画像探索システムは、第三者によりアクセスされる電話番号及び／又はＩＤ番号を有し、ＧＰＳ信号を受信して時間および位置情報を得る手段と前記情報を画像情報とともに無線回線を通して送信する手段とを含むパーソナルハンデイ端末機と、前記無線回線を介して前記情報を受信する手段と前記情報を第１の一般有線回線を通して送信する手段とを有する移動用通信局と、前記情報を前記第１の一般有線回線を通して受信し、第２の有線回線を介して送信する手段を有するホストサーバと、前記第２の有線回線を介して前記ホストサーバに接続されて前記パーソナルハンデイ端末機のユーザの行動を監視するパーソナルコンピュータとから構成され、前記パーソナルハンデイ端末機は外部装置から供給される画像データを取り込む手段を有すると共に、ＣＰＵに接続された少なくとも位置探索メモリと画像メモリとを有し、前記ホストサーバは受信した位置情報に応じて地図を作成する道路地図データベースを有している。
【実施例】
【００１４】
図１はＧＰＳ信号を利用した位置検索システム１０を示し、前記位置検索システム１０はＧＰＳ衛星１１からのＧＰＳ信号を常時受信するアンテナ１２を備えると共に電話番号及び／又はＩＤ番号を有する、例えば、携帯電話のようなパーソナルハンデイ端末機１３を含んでいる。
【００１５】
前記端末機１３はビデオ装置、デジタルカメラ等からの画像データを取り込む機能を有し、さらに、前記電話番号及び／又はＩＤ番号により第三者或いはユーザーからアクセスされると共に、前記ＧＰＳ信号により時間或いは前記端末機１３の移動と共に変化する位置情報及び前記画像データを前記第三者に送出するようにされている。
【００１６】
前記端末機１３は無線回線１４を介して移動体通信機構（会社）１５に接続され、前記移動体通信機構１５は有線による第１の一般回線１６１を通してホストサーバ（ホストコンピュータ）１７に接続されている。前記サーバ１７は第２の一般回線１６２を介して前記第三者により操作されるＰＣ（パーソナルコンピュータ）１８に接続され、或いはインターネット１９を介して同様なＰＣ（パーソナルコンピュータ）２０に接続されている。
【００１７】
前記位置検索システム１０の動作について説明する。前記第三者が所定の前記パーソナルハンデイ端末機１３にアクセスする際、前記ＰＣ１８を操作して前記電話番号及び／又はＩＤ番号を前記サーバ１７及び前記移動体通信機構１５を通して前記端末機１３に送信する。
【００１８】
アクセスされた前記端末機１３から時間と共に変化する前記位置情報を前記回線１４及び１６１を介して前記サーバ１７に送信される。前記サーバ１７は道路地図データベースを有すると共に、受信した前記位置情報に基づいて地図を作成する機能を有しており、作成した前記地図を前記ＰＣ１８に送信する。
【００１９】
前記第三者は前記ＰＣ１８に送信された前記地図を見ることにより前記端末機１３の位置、即ち、前記端末機１３を所持する人の時間経過位置、走行距離及び現在位置等を確認することができる。
【００２０】
図２は前記パーソナルハンデイ端末機１３の構成を示すブロック回路３０を示す。前記ブロック回路３０はＣＰＵ３１を内蔵しており、前記ＣＰＵ３１には前記ＧＰＳ衛星１１からのＧＰＳ信号に基づいて緯度・経度の位置情報を検出するＧＰＳ信号受信用ＩＣ（Ｉｎｔｅｇｒａｔｅｄ Ｃｉｒｃｕｉｔ）３２と、前記移動体通信機構１５に対する無線信号の送受信を行うための移動体通信用コントローラ３３と、前記ＰＣ１８、２０等の外部装置をメンテナンスするためのコミュニケーションポート３４と、外部からの妨害、システム悪用防止等にたいするシステム管理用のセキュリティＩＣ３５と、システムプログラム用のＲＯＭ３６と、ビデオ装置、デジタルカメラ、ＣＣＤカメラ等の外部からの画像データを格納する画像メモリ３７と、前記ＧＰＳ信号受信用ＩＣ３２からのデータを格納する位置検索メモリ３８と、スタック及びワークエリアを有しシステムで使用するためのシステムメモリ３９と、時間監視用のリアルタイムクロック４０とが接続されて前記パーソナルハンデイ端末機１３を構成している。
【図面の簡単な説明】
【００２１】
【図１】本発明の実施例によるＧＰＳ信号を利用した画像検索システムを示すブロック図である。
【図２】本発明の実施例によるパーソナルハンデイ端末機のブロック回路を示す図である。
【符号の説明】
【００２２】
１０  位置検索システム、１１  ＧＰＳ衛星、１２  アンテナ、１３  パーソナルハンデイ端末機、１４  無線回線、１５  移動体通信機構、１６１  第１の一般回線、１６２  第２の一般回線、１７  ホストサーバ、１８  ＰＣ、１９  インターネット、２０  ＰＣ、３０  ブロック回路、３１  ＣＰＵ、３２  ＧＰＳ信号受信用ＩＣ、３３  移動体通信用コントローラ、３４  コミュニケーションポート、３５  システム管理用のセキュリティＩＣ、３６  システムプログラム用のＲＯＭ、３７  画像メモリ、３８  位置検索メモリ、３９  システムメモリ、４０  リアルタイムクロック